(57)【要約】【課題】本発明は、電子キー持ち出し警報システム及び電子キー持ち出し警報方法に係り、電子キーが車両の外部へ持ち出されたと誤判定されるのを防止することにある。【解決手段】車両使用者に携帯される電子キーは、携帯用受信アンテナにより受信される信号が、正規の車載機の室内用送信アンテナからのＬＦ帯のリクエスト信号であるか否かを判定し、正規のリクエスト信号である場合に受信可情報を含むレスポンス信号を送信し、一方、正規のリクエスト信号でない場合に受信不可情報を含むレスポンス信号を送信する。車載機は、室内用送信アンテナによるリクエスト信号の送信後、車両用受信アンテナにより受信されるレスポンス信号に含まれる受信可情報又は受信不可情報が書き込まれる記憶部を有する。車載機は、記憶部に受信不可情報が書き込まれた後、室外用送信アンテナによるリクエスト信号の送信後にレスポンス信号が受信される場合に、電子キーが車両の外部へ持ち出されたと判定する。【選択図】図２
2015168387.tif 000002
【特許請求の範囲】
【請求項１】
車両に搭載され、該車両に対応する車両使用者に携帯される電子キーの応答を要求する第１帯域のリクエスト信号をそれぞれ送信する室内用送信アンテナ及び室外用送信アンテナと、前記電子キーから送信される、前記リクエスト信号に応答する第２帯域のレスポンス信号を受信する車両用受信アンテナと、前記室内用送信アンテナ又は前記室外用送信アンテナによる前記リクエスト信号の送信後、前記車両用受信アンテナにより受信される前記レスポンス信号に基づいて、前記電子キーが該車両の外部へ持ち出されたか否かを判定する持出判定部と、前記持出判定部により前記電子キーが該車両の外部へ持ち出されたと判定された場合に警報を出力する警報部と、を有する車載機と、
前記電子キーとして、前記リクエスト信号を受信する携帯用受信アンテナと、前記携帯用受信アンテナにより受信される信号が正規の前記リクエスト信号であるか否かを判定する受信可否判定部と、前記受信可否判定部により受信される信号が正規の前記リクエスト信号であると判定される場合に前記リクエスト信号の受信可を示す受信可情報を含む前記レスポンス信号を送信し、一方、前記受信可否判定部により受信される信号が正規の前記リクエスト信号でないと判定される場合に前記リクエスト信号の受信不可を示す受信不可情報を含む前記レスポンス信号を送信する携帯用送信アンテナと、を有する電子キーと、を備え、
前記車載機は、前記室内用送信アンテナによる前記リクエスト信号の送信後、前記車両用受信アンテナにより前記レスポンス信号が受信される場合に該レスポンス信号に含まれる前記受信可情報又は前記受信不可情報が書き込まれる記憶部を更に有すると共に、
前記持出判定部は、前記記憶部に前記受信不可情報が書き込まれた後、前記室外用送信アンテナによる前記リクエスト信号の送信後に前記車両用受信アンテナにより前記レスポンス信号が受信される場合に、前記電子キーが該車両の外部へ持ち出されたと判定することを特徴とする電子キー持ち出し警報システム。
【請求項２】
前記室外用送信アンテナは、前記記憶部に前記受信不可情報が書き込まれた後、車両ドアが開状態から閉状態へ切り替わった場合に前記リクエスト信号を送信すると共に、
前記持出判定部は、前記記憶部に前記受信不可情報が書き込まれた後、前記室外用送信アンテナによる前記リクエスト信号の送信後に前記車両用受信アンテナにより受信される前記レスポンス信号に前記受信可情報が含まれる場合に、前記電子キーが該車両の外部へ持ち出されたと判定することを特徴とする請求項１記載の電子キー持ち出し警報システム。
【請求項３】
前記車載機は、車両ドアが開状態から閉状態へ切り替わった場合に、前記記憶部に記憶されている情報を読み出す読出部を更に有すると共に、
前記室外用送信アンテナは、前記読出部により読み出された前記記憶部に記憶されていた情報が前記受信不可情報である場合に、前記リクエスト信号を送信することを特徴とする請求項２記載の電子キー持ち出し警報システム。
【請求項４】
前記室内用送信アンテナは、前記記憶部に前記受信可情報が書き込まれた後、車両ドアが開状態から閉状態へ切り替わった場合に前記リクエスト信号を送信すると共に、
前記持出判定部は、前記記憶部に前記受信可情報が書き込まれた後は、前記室内用送信アンテナによる前記リクエスト信号の送信後に前記車両用受信アンテナにより前記受信可情報を含む前記レスポンス信号が受信されない場合に、前記電子キーが該車両の外部へ持ち出されたと判定することを特徴とする請求項１乃至３の何れか一項記載の電子キー持ち出し警報システム。
【請求項５】
車両に搭載される車載機に、室内用送信アンテナから該車両に対応する車両使用者に携帯される電子キーの応答を要求する第１帯域のリクエスト信号を送信させる第１のステップと、
前記電子キーに、携帯用受信アンテナにより受信される信号が正規の前記リクエスト信号であるか否かを判定させる第２のステップと、
前記電子キーに、前記第２のステップにおいて前記携帯用受信アンテナにより受信される信号が正規の前記リクエスト信号であると判定される場合に前記リクエスト信号の受信可を示す受信可情報を含む前記リクエスト信号に応答する第２帯域のレスポンス信号を携帯用送信アンテナから送信させ、一方、前記第２のステップにおいて前記携帯用受信アンテナにより受信される信号が正規の前記リクエスト信号でないと判定される場合に前記リクエスト信号の受信不可を示す受信不可情報を含む前記レスポンス信号を前記携帯用送信アンテナから送信させる第３のステップと、
前記車載機に、前記第１のステップにおける前記室内用送信アンテナによる前記リクエスト信号の送信後、車両用受信アンテナにより前記レスポンス信号が受信される場合に、該レスポンス信号に含まれる前記受信可情報又は前記受信不可情報を記憶部へ書き込ませる第４のステップと、
前記車載機に、前記記憶部に前記受信不可情報が書き込まれた後、室外用送信アンテナから前記リクエスト信号を送信させる第５のステップと、
前記車載機に、前記第５のステップにおける前記室外用送信アンテナによる前記リクエスト信号の送信後、前記車両用受信アンテナにより前記レスポンス信号が受信される場合に、前記電子キーが該車両の外部へ持ち出されたと判定させる第６のステップと、
前記車載機に、前記第６のステップにおいて前記電子キーが該車両の外部へ持ち出されたと判定された場合に警報を出力させる第７のステップと、
を備えることを特徴とする電子キー持ち出し警報方法。
【発明の詳細な説明】
【技術分野】
【０００１】
本発明は、車両使用者に携帯される電子キーが車両の外部へ持ち出された場合に車載機が警報を出力する電子キー持ち出し警報システム及び電子キー持ち出し警報方法に関する。
【背景技術】
【０００２】
車両使用者に携帯される電子キーが対応する車両の外部へ持ち出された場合に車載器が警報を出力する電子キー持ち出し警報システムが知られている（例えば、特許文献１参照）。このシステムは、車両に搭載される車載機と、車両使用者に携帯される携帯型の電子キーと、を備えている。車載機は、エンジンが稼動する車両使用中において、車内に設置された室内用送信アンテナから電子キーの応答を要求する第１帯域（例えば、ＬＦ帯）のリクエスト信号を送信する。電子キーは、車載機から送信されるリクエスト信号を受信すると、そのリクエスト信号に応答する第２帯域（例えば、ＵＨＦ帯）のレスポンス信号を送信する。
【０００３】
車載機は、室内用送信アンテナからリクエスト信号を送信した後、電子キーから送信されるレスポンス信号を車両用受信アンテナで受信した場合に、電子キーが車内に存在すると判定する。一方、室内用送信アンテナからリクエスト信号を送信した後、所定時間内に電子キーからのレスポンス信号を車両用受信アンテナで受信しない場合に、電子キーが車内に存在せず車両の外部へ持ち出されたと判定する。そして、車載機は、電子キーが車内に存在すると判定した場合は警報を出力しない一方で、電子キーが車両の外部へ持ち出されたと判定した場合は警報を出力する。
【先行技術文献】
【特許文献】
【０００４】
【特許文献１】特開２０１０−２０８５５５号公報
【発明の概要】
【発明が解決しようとする課題】
【０００５】
ところで、車載機が電子キーに向けて送信するＬＦ帯のリクエスト信号は、エンジン稼動による点火ノイズ等に起因して妨害されることがある。かかるリクエスト信号の妨害がなされると、電子キーは、車内に存在していても、そのリクエスト信号を受信することができなくなり、その結果として、そのリクエスト信号に応答するレスポンス信号を車載機へ向けて返信することができなくなる。
【０００６】
上記した特許文献１記載のシステムでは、上記の如く、車載機が、リクエスト信号の送信後、所定時間内に電子キーからのレスポンス信号を受信しない場合に、電子キーが車内に存在せず車両の外部へ持ち出されたと判定するので、上記したリクエスト信号の妨害がなされた場合、電子キーが車内に存在していても、車載機がその電子キーが車両の外部へ持ち出されたと誤判定し、その結果として、誤警報がなされる不都合が生じてしまう。
【０００７】
本発明は、上述の点に鑑みてなされたものであり、電子キーが車両の外部へ持ち出されたと誤判定されるのを防止することが可能な電子キー持ち出し警報システム及び電子キー持ち出し警報方法を提供することを目的とする。
【課題を解決するための手段】
【０００８】
本発明の一態様に係る電子キー持ち出し警報システムは、車両に搭載され、該車両に対応する車両使用者に携帯される電子キーの応答を要求する第１帯域のリクエスト信号をそれぞれ送信する室内用送信アンテナ及び室外用送信アンテナと、前記電子キーから送信される、前記リクエスト信号に応答する第２帯域のレスポンス信号を受信する車両用受信アンテナと、前記室内用送信アンテナ又は前記室外用送信アンテナによる前記リクエスト信号の送信後、前記車両用受信アンテナにより受信される前記レスポンス信号に基づいて、前記電子キーが該車両の外部へ持ち出されたか否かを判定する持出判定部と、前記持出判定部により前記電子キーが該車両の外部へ持ち出されたと判定された場合に警報を出力する警報部と、を有する車載機と、前記電子キーとして、前記リクエスト信号を受信する携帯用受信アンテナと、前記携帯用受信アンテナにより受信される信号が正規の前記リクエスト信号であるか否かを判定する受信可否判定部と、前記受信可否判定部により受信される信号が正規の前記リクエスト信号であると判定される場合に前記リクエスト信号の受信可を示す受信可情報を含む前記レスポンス信号を送信し、一方、前記受信可否判定部により受信される信号が正規の前記リクエスト信号でないと判定される場合に前記リクエスト信号の受信不可を示す受信不可情報を含む前記レスポンス信号を送信する携帯用送信アンテナと、を有する電子キーと、を備え、前記車載機は、前記室内用送信アンテナによる前記リクエスト信号の送信後、前記車両用受信アンテナにより前記レスポンス信号が受信される場合に該レスポンス信号に含まれる前記受信可情報又は前記受信不可情報が書き込まれる記憶部を更に有すると共に、前記持出判定部は、前記記憶部に前記受信不可情報が書き込まれた後、前記室外用送信アンテナによる前記リクエスト信号の送信後に前記車両用受信アンテナにより前記レスポンス信号が受信される場合に、前記電子キーが該車両の外部へ持ち出されたと判定するものである。
【０００９】
また、本発明の一態様に係る電子キー持ち出し警報方法は、車両に搭載される車載機に、室内用送信アンテナから該車両に対応する車両使用者に携帯される電子キーの応答を要求する第１帯域のリクエスト信号を送信させる第１のステップと、前記電子キーに、携帯用受信アンテナにより受信される信号が正規の前記リクエスト信号であるか否かを判定させる第２のステップと、前記電子キーに、前記第２のステップにおいて前記携帯用受信アンテナにより受信される信号が正規の前記リクエスト信号であると判定される場合に前記リクエスト信号の受信可を示す受信可情報を含む前記リクエスト信号に応答する第２帯域のレスポンス信号を携帯用送信アンテナから送信させ、一方、前記第２のステップにおいて前記携帯用受信アンテナにより受信される信号が正規の前記リクエスト信号でないと判定される場合に前記リクエスト信号の受信不可を示す受信不可情報を含む前記レスポンス信号を前記携帯用送信アンテナから送信させる第３のステップと、前記車載機に、前記第１のステップにおける前記室内用送信アンテナによる前記リクエスト信号の送信後、車両用受信アンテナにより前記レスポンス信号が受信される場合に、該レスポンス信号に含まれる前記受信可情報又は前記受信不可情報を記憶部へ書き込ませる第４のステップと、前記車載機に、前記記憶部に前記受信不可情報が書き込まれた後、室外用送信アンテナから前記リクエスト信号を送信させる第５のステップと、前記車載機に、前記第５のステップにおける前記室外用送信アンテナによる前記リクエスト信号の送信後、前記車両用受信アンテナにより前記レスポンス信号が受信される場合に、前記電子キーが該車両の外部へ持ち出されたと判定させる第６のステップと、前記車載機に、前記第６のステップにおいて前記電子キーが該車両の外部へ持ち出されたと判定された場合に警報を出力させる第７のステップと、を備えるものである。
【発明の効果】
【００１０】
本発明によれば、電子キーが車両の外部へ持ち出されたと誤判定されるのを防止することができる。
【図面の簡単な説明】
【００１１】
【図１】本発明の一実施例である電子キー持ち出し警報システムの構成図である。
【図２】本実施例の電子キー持ち出し警報システムにおいて実行される制御ルーチンの一例のフローチャートである。
【発明を実施するための形態】
【００１２】
以下、図面を用いて、本発明に係る電子キー持ち出し警報システム及び電子キー持ち出し警報方法の具体的な実施の形態について説明する。
【００１３】
図１は、本発明の一実施例である電子キー持ち出し警報システム１０の構成図を示す。本実施例の電子キー持ち出し警報システム（以下、単に警報システムと称す。）１０は、車両に搭載される車載機１２と、車両使用者に携帯される電子キー１４と、からなる。警報システム１０は、エンジン稼働やハイブリッドシステムオンなどの車両使用中において、車載機１２と電子キー１４との間で無線通信による認証照合を行う結果として電子キー１４が車両の外部へ持ち出されたと判定される場合に車載機１２が警報を出力するシステムである。
【００１４】
車載機１２は、マイクロコンピュータを主体に構成される照合用電子制御ユニット（以下、照合ＥＣＵと称す。）１６を備えている。照合ＥＣＵ１６は、電子キー１４との無線通信により得た識別コードの認証照合を行いつつ、電子キー１４が車内に存在するか或いは車外に存在するか否かの位置確認を行う機能を有している。照合ＥＣＵ１６は、ドアアンロック操作時やドアロック操作時，ドア開閉時，イグニションオン操作時を含む車両使用中や車両降車時，車両駐車中などにおいて電子キー１４との間の無線通信を行う。
【００１５】
車載機１２は、また、照合ＥＣＵ１６に接続される、室内用送信アンテナ２０、室外用送信アンテナ２２、及び、チューナ２４を備えている。照合ＥＣＵ１６は、上記の照合及び位置確認の双方を実現するために、電子キー１４の応答を要求するリクエスト信号を生成すると共に、その生成したリクエスト信号を室内用送信アンテナ２０及び室外用送信アンテナ２２の何れかから送信させる送信指令を発する。そしてその後、チューナ２４で受信される、上記リクエスト信号に応答する電子キー１４からのレスポンス信号に基づいて、上記の照合及び位置確認を実行する。
【００１６】
室内用送信アンテナ２０は、車室内に検知エリアを形成する送信部であり、例えば複数箇所（具体的には、センターコンソールの内側やセカンドシートの床下など）に設置されている。室内用送信アンテナ２０は、照合ＥＣＵ１６からの送信指令に従って所定周波数（具体的には、１２５ｋＨｚ帯や１３４ｋＨｚ帯などのＬＦ帯）のリクエスト信号を送信して、車室内に検知エリアを形成する。
【００１７】
室外用送信アンテナ２２は、車室外に検知エリアを形成する送信部であり、例えば車両ドア（具体的には、車両ドアのドアアウトサイドハンドル内など）ごとに設置されている。室外用送信アンテナ２２は、照合ＥＣＵ１６からの送信指令に従って所定周波数（具体的には、１２５ｋＨｚ帯や１３４ｋＨｚ帯などのＬＦ帯）のリクエスト信号を送信して、車室外の所定領域（例えば、車両のドアアウトサイドハンドルから半径１ｍ程度の車外領域）内に検知エリアを形成する。尚、この室外用送信アンテナ２２による車室外の所定領域は、車両ドアに対して固定されるものであって、車両ドアの開閉に応じて車体本体に対して位置変化するものであってもよい。
【００１８】
チューナ２４は、車室内（例えば、バックドア付近）に設けられた受信部である。チューナ２４は、電子キー１４から送信される所定周波数（具体的には、３００ＭＨｚ帯や４００ＭＨｚ帯などのＲＦ帯）のレスポンス信号を受信し、その受信信号を照合ＥＣＵ１６へ向けて供給する。
【００１９】
照合ＥＣＵ１６は、不揮発性のメモリ２６及び揮発性のメモリ２８を有している。メモリ２６には、搭載される自車両に対して使用可能な電子キー１４の識別コードが登録される。尚、メモリ２６への電子キー１４の識別コードの登録・変更は、例えば車両販売店や修理工場などで所定の操作により行われる。照合ＥＣＵ１６は、電子キー１４から送信されてチューナ２４にて受信されるレスポンス信号に含まれる識別コードが、メモリ２６に登録されている識別コードに一致するか否かを判別する認証照合を行うことができる。また、メモリ２８には、後述の如く電子キー１４から送信されるレスポンス信号に含まれる情報が書き込まれる。
【００２０】
電子キー１４は、対応する車両の使用者（車両所有者や車両運転者など）により携帯される携帯機であって、対応する車両の使用に用いられる。電子キー１４は、車載機１２と無線通信を行うための通信機能を有しており、車載機１２との間で所定周波数の信号を送受信することが可能である。電子キー１４は、マイクロコンピュータを主体に構成される携帯用電子制御ユニット（以下、携帯ＥＣＵと称す）３０を備えている。携帯ＥＣＵ３０は、車載機１２からのリクエスト信号に応答して自己の識別コードを含むレスポンス信号を返信するトランスポンダ機能を有している。
【００２１】
電子キー１４は、また、携帯ＥＣＵ３０に接続される、携帯用受信アンテナ３２及び携帯用送信アンテナ３４を備えている。携帯ＥＣＵ３０は、携帯用受信アンテナ３２で受信される、車載機１２からのリクエスト信号に基づいて、上記のトランスポンダ機能を実行する。具体的には、そのリクエスト信号に応答する、自己の識別コードを含むレスポンス信号を生成すると共に、その生成したレスポンス信号を携帯用送信アンテナ３４から送信させる送信指令を発する。
【００２２】
携帯用受信アンテナ３２は、車載機１２の室内用送信アンテナ２０及び室外用送信アンテナ２２が送信する周波数帯（具体的には、ＬＦ帯）のリクエスト信号を受信することが可能である。携帯用受信アンテナ３２は、受信した受信信号を携帯ＥＣＵ３０へ向けて供給する。携帯用送信アンテナ３４は、携帯ＥＣＵ３０からの送信指令に従って、上記した車載機１２の送信するリクエスト信号の周波数（ＬＦ帯）とは異なる周波数（具体的には、３００ＭＨｚ帯や４００ＭＨｚ帯などのＲＦ帯）のレスポンス信号を送信する。
【００２３】
車載機１２の照合ＥＣＵ２０には、エンジンスイッチ４０が接続されている。エンジンスイッチ４０は、車両の運転席近傍に設けられた運転者により操作されるパワースイッチであって、車両の電源ポジションをオフとアクセサリオンとイグニションオンとスタータオンとの間で切り替えるためのスイッチである。エンジンスイッチ４０の状態を示す信号は、照合ＥＣＵ２０に供給される。照合ＥＣＵ２０は、エンジンスイッチ４０の状態に基づいて車両の電源ポジションが何れにあるか否かを判定する。
【００２４】
照合ＥＣＵ２０には、また、カーテシスイッチ４２が接続されている。カーテシスイッチ４２は、車両ドアごとに設けられており、その車両ドアが閉状態にあるか或いは開状態にあるかに応じて出力信号が変化するスイッチである。各カーテシスイッチ４２の出力する信号は、照合ＥＣＵ２０に供給される。照合ＥＣＵ２０は、各カーテシスイッチ４２の出力信号に基づいて、各車両ドアが開状態にあるか或いは閉状態にあるかを判定する。
【００２５】
照合ＥＣＵ２０には、更に、ブザー４４が接続されている。照合ＥＣＵ２０は、後に詳述する如く、特に車両起動後の車両使用中において、電子キー１４が車内に存在せず電子キー１４が車両の外部へ持ち出されたと判定した場合に、ブザー４４に対して作動指令を行う。ブザー４４は、車内や車両近傍の車外にいる人に対して警報を出力する警報機であって、照合ＥＣＵ２０からの作動指令に従って作動する。
【００２６】
以下、図２を参照して、本実施例の警報システム１０の動作について説明する。図２は、本実施例の警報システム１０において実行される制御ルーチンの一例のフローチャートを示す。
【００２７】
本実施例の警報システム１０において、車載機１２は、特にエンジンが稼動するイグニションオンやスタータオンを含む車両の使用が開始された後、定期的に、電子キー１４が車両の外部へ持ち出されたか否かを判定すべく、電子キー１４との間で無線通信を行う（ステップ１００）。具体的には、車載機１２の照合ＥＣＵ１６は、上記の車両使用中において定期的或いは特定のイベント発生ごとに、室内用送信アンテナ２０に対してＬＦ帯のリクエスト信号を送信するように指令を発する。かかる指令が発せられると、室内用送信アンテナ２０が照合ＥＣＵ１６からの送信指令に従ってＬＦ帯のリクエスト信号を送信することで、車室内に検知エリアが形成される。
【００２８】
電子キー１４は、携帯用受信アンテナ３２にて車載機１２の送信するＬＦ帯のリクエスト信号を受信することが可能である。電子キー１４の携帯ＥＣＵ３０は、携帯用受信アンテナ３２にてＬＦ帯の信号が受信された場合（ステップ１０２）、その受信信号が正規のリクエスト信号（すなわち、対応する車両の車載機１２からのリクエスト信号）として認識できるか否か、すなわち、携帯用受信アンテナ３２にて受信されたＬＦ帯の信号が正規の車載機１２からのリクエスト信号であるか否かを判別する（ステップ１０４）。尚、携帯ＥＣＵ３０による携帯用受信アンテナ３２にてＬＦ帯の信号が受信されたか否かの判別は、携帯用受信アンテナ３２にて所定レベル以上のＬＦ帯の信号が受信されたか否かを判別するものであればよい。
【００２９】
携帯ＥＣＵ３０は、上記ステップ１０４において受信された信号が正規のリクエスト信号として認識されると判別した場合は、次に、自電子キー１４でのリクエスト信号の受信が可能であることを示す受信可情報を含む、リクエスト信号に応答するレスポンス信号を生成して、携帯用送信アンテナ３４に対してその受信可情報を含むＲＦ帯のレスポンス信号を送信するように指令を発する（ステップ１０６）。かかる指令が発せられると、携帯用送信アンテナ３４が携帯ＥＣＵ３０からの送信指令に従ってＲＦ帯のレスポンス信号を送信する。
【００３０】
一方、携帯ＥＣＵ３０は、上記ステップ１０４において受信された信号が正規のリクエスト信号として認識されないと判別した場合は、次に、自電子キー１４でのリクエスト信号の受信が不可であることを示す受信不可情報を含む、リクエスト信号に応答するレスポンス信号を生成して、携帯用送信アンテナ３４に対してその受信不可情報を含むＲＦ帯のレスポンス信号を送信するように指令を発する（ステップ１０８）。かかる指令が発せられると、携帯用送信アンテナ３４が携帯ＥＣＵ３０からの送信指令に従ってＲＦ帯のレスポンス信号を送信する。
【００３１】
車載機１２は、チューナ２４にて電子キー１４の送信するレスポンス信号を受信することが可能である。車載機１２の照合ＥＣＵ１６は、車両使用中において室内用送信アンテナ２０からリクエスト信号を送信させた後、チューナ２４にて電子キー１４からのレスポンス信号を受信した場合に、そのレスポンス信号に含まれる情報を抽出して、その抽出情報として受信可情報が含まれるか或いは受信不可情報が含まれるかを判定する。
【００３２】
そして、照合ＥＣＵ１６は、その抽出情報としてリクエスト信号の受信可情報が含まれると判定した場合は、対応する電子キー１４がリクエスト信号を受信できる状態にあるとして、その受信可情報をメモリ２８に書き込む（ステップ１１０）。一方、その抽出情報としてリクエスト信号の受信不可情報が含まれると判定した場合は、対応する電子キー１４がリクエスト信号を受信できない状態にあるとして、その受信不可情報をメモリ２８に書き込む（ステップ１１２）。尚、受信可情報及び受信不可情報をメモリ２８へ書き込むタイミングは、その情報内容が変化したときのみであってもよい。
【００３３】
このように、本実施例においては、車両使用中、車載機１２の室内用送信アンテナ２０からＬＦ帯のリクエスト信号を送信させて車室内に電子キー１４を検知するための検知エリアを形成することができる。そして、電子キー１４に、携帯用受信アンテナ２２に受信されたＬＦ帯の信号が正規のリクエスト信号として認識される場合はリクエスト信号の受信可情報を含むＲＦ帯のレスポンスを生成させて送信させ、一方、携帯用受信アンテナ２２に受信されたＬＦ帯の信号が正規のリクエスト信号として認識されない場合はリクエスト信号の受信不可情報を含むＲＦ帯のレスポンスを生成させて送信させることができる。
【００３４】
車載機１２による上記した車室内へのリクエスト信号の送信後、リクエスト信号の受信可情報を含むＲＦ帯のレスポンスが電子キー１４から送信されて車載機１２に受信された場合は、その受信可情報を車載機１２のメモリ２８に書き込むことができ、一方、リクエスト信号の受信不可情報を含むＲＦ帯のレスポンスが電子キー１４から送信されて車載機１２に受信された場合は、その受信不可情報を車載機１２のメモリ２８に書き込むことができる。
【００３５】
車載機１２の照合ＥＣＵ１６は、車両使用中において上記のメモリ２８への受信可情報及び受信不可情報を書き込んだ後を含めて常時、各カーテシスイッチ４２の出力信号に基づいて各車両ドアが開状態にあるか或いは閉状態にあるかを判定する。そして、何れかの車両ドアが開状態から閉状態へ切り替わったか否かを判定する（ステップ１２０）。その結果、何れの車両ドアも開状態から閉状態へ切り替わっていないと判定した場合は、以後も通常どおり、室内用送信アンテナ２０からのリクエスト信号の送信を継続させる。
【００３６】
一方、照合ＥＣＵ１６は、上記ステップ１２０において何れかの車両ドアが開状態から閉状態へ切り替わったと判定した場合は、次にまず、メモリ２８にアクセスしてそのメモリ２８に記憶されている受信可情報又は受信不可情報を読み出し、その読み出した情報が受信可情報であるか又は受信不可情報であるかを判定する（ステップ１２２）。
【００３７】
照合ＥＣＵ１６は、上記ステップ１２２においてメモリ２８から読み出した情報が受信可情報であると判定した場合は、次に、室内用送信アンテナ２０に対してＬＦ帯のリクエスト信号を送信するように指令を発する（ステップ１２４）。かかる指令が発せられると、室内用送信アンテナ２０が照合ＥＣＵ１６からの送信指令に従ってＬＦ帯のリクエスト信号を送信することで、車室内に検知エリアが形成される。
【００３８】
電子キー１４の携帯ＥＣＵ３０は、携帯用受信アンテナ３２にて受信される信号が正規のリクエスト信号（すなわち、対応する車両の車載機１２からのリクエスト信号）として認識できるか否かを判別する（ステップ１２６）。尚、このステップ１２６では、携帯用受信アンテナ３２にてＬＦ帯の信号が受信されかつその受信されたＬＦ帯の信号が正規の車載機１２からのリクエスト信号であると判定される場合に、肯定判定がなされればよい。
【００３９】
そして、携帯ＥＣＵ３０は、上記ステップ１２６において受信される信号が正規のリクエスト信号として認識されると判別した場合は、次に、受信可情報を含むレスポンス信号を生成して、携帯用送信アンテナ３４に対してその受信可情報を含むＲＦ帯のレスポンス信号を送信するように指令を発する（ステップ１２８）。尚、携帯ＥＣＵ３０は、上記ステップ１２６において携帯用受信アンテナ３２にて信号（特にＬＦ帯の信号）が受信される一方でその受信された信号が正規の車載機１２からのリクエスト信号でないと判定されることで受信信号が正規のリクエスト信号として認識されないと判別した場合は、次に、受信不可情報を含むレスポンス信号を生成して、携帯用送信アンテナ３４に対してその受信不可情報を含むＲＦ帯のレスポンス信号を送信するように指令を発することとしてもよい。かかる送信指令が発せられると、携帯用送信アンテナ３４が携帯ＥＣＵ３０からの送信指令に従ってＲＦ帯のレスポンス信号を送信する。
【００４０】
車載機１２の照合ＥＣＵ１６は、車両ドアの開状態から閉状態への切り替わりに伴う室内用送信アンテナ２０からのリクエスト信号の送信後、チューナ２４にて電子キー１４からのレスポンス信号を受信した場合に、そのレスポンス信号に含まれる情報を抽出して、その抽出情報として受信可情報が含まれるか或いは受信不可情報が含まれるかを判定する。
【００４１】
そして、照合ＥＣＵ１６は、チューナ２４にて受信したレスポンス信号からの抽出情報としてリクエスト信号の受信可情報が含まれると判定した場合（ステップ１３０）は、対応する電子キー１４が自車両の車室内に存在するとして、ブザー４４を用いた警報を出力させない（ステップ１３２）。この場合は、ブザー４４から警報出力はなされない。
【００４２】
一方、照合ＥＣＵ１６は、車両ドアの開状態から閉状態への切り替わりに伴う室内用送信アンテナ２０からのリクエスト信号の送信後、チューナ２４にて受信したレスポンス信号からの抽出情報としてリクエスト信号の受信不可情報が含まれると判定した場合、及び、そのリクエスト信号の送信から所定時間が経過しても、チューナ２４にて電子キー１４からのレスポンス信号を受信しない場合は、対応する電子キー１４が自車両の車室内に存在しないとして、ブザー４４に対して作動指令を行ってブザー４４を用いた警報を出力させる（ステップ１３４）。かかる作動指令がなされると、ブザー４４が照合ＥＣＵ１６からの作動指令に従って警報を出力する。
【００４３】
このように、本実施例においては、車両ドアが開状態から閉状態へ切り替わった際にメモリ２８に受信可情報が記憶されているときは、その直後、車載機１２の室内用送信アンテナ２０からリクエスト信号を送信させて車室内に検知エリアを形成することで電子キー１４の応答を要求することができる。そして、受信可情報を含むレスポンス信号が電子キー１４から送信されて車載機１２に受信された場合は、対応の電子キー１４が自車両の車室内に存在するとして、ブザー４４から警報を出力せず、一方、受信可情報を含むレスポンス信号が電子キー１４から送信されず車載機１２に受信されない場合は、対応の電子キー１４が自車両の車室内に存在せず車室内から車室外へ持ち出されたとして、ブザー４４から警報を出力することができる。
【００４４】
また、本実施例において、照合ＥＣＵ１６は、上記ステップ１２２においてメモリ２８から読み出した情報が受信不可情報であると判定した場合は、次に、室外用送信アンテナ２２に対してＬＦ帯のリクエスト信号を送信するように指令を発する（ステップ１４０）。かかる指令が発せられると、室外用送信アンテナ２２が照合ＥＣＵ１６からの送信指令に従ってＬＦ帯のリクエスト信号を送信することで、車室外に検知エリアが形成される。
【００４５】
電子キー１４の携帯ＥＣＵ３０は、携帯用受信アンテナ３２にて受信される信号が正規のリクエスト信号（すなわち、対応する車両の車載機１２からのリクエスト信号）として認識できるか否かを判別する（ステップ１４２）。尚、このステップ１４２では、携帯用受信アンテナ３２にてＬＦ帯の信号が受信されかつその受信されたＬＦ帯の信号が正規の車載機１２からのリクエスト信号であると判定される場合に、肯定判定がなされればよい。
【００４６】
そして、携帯ＥＣＵ３０は、上記ステップ１４２において受信される信号が正規のリクエスト信号として認識されると判別した場合は、次に、受信可情報を含むレスポンス信号を生成して、携帯用送信アンテナ３４に対してその受信可情報を含むＲＦ帯のレスポンス信号を送信するように指令を発する（ステップ１４４）。尚、携帯ＥＣＵ３０は、上記ステップ１４２において携帯用受信アンテナ３２にて信号（特にＬＦ帯の信号）が受信される一方でその受信された信号が正規の車載機１２からのリクエスト信号でないと判定されることで受信信号が正規のリクエスト信号として認識されないと判別した場合は、次に、受信不可情報を含むレスポンス信号を生成して、携帯用送信アンテナ３４に対してその受信不可情報を含むＲＦ帯のレスポンス信号を送信するように指令を発することとしてもよい。かかる送信指令が発せられると、携帯用送信アンテナ３４が携帯ＥＣＵ３０からの送信指令に従ってＲＦ帯のレスポンス信号を送信する。
【００４７】
車載機１２の照合ＥＣＵ１６は、車両ドアの開状態から閉状態への切り替わりに伴う室外用送信アンテナ２２からのリクエスト信号の送信後、チューナ２４にて電子キー１４からのレスポンス信号を受信した場合に、そのレスポンス信号に含まれる情報を抽出して、その抽出情報として受信可情報が含まれるか或いは受信不可情報が含まれるかを判定する。
【００４８】
そして、照合ＥＣＵ１６は、チューナ２４にて受信したレスポンス信号からの抽出情報としてリクエスト信号の受信可情報が含まれると判定した場合（ステップ１４６）は、対応する電子キー１４が自車両の車室内に存在せず車室外（具体的には、車両ドア近傍）に存在するとして、ブザー４４に対して作動指令を行ってブザー４４を用いた警報を出力させる（ステップ１３４）。かかる作動指令がなされると、ブザー４４が照合ＥＣＵ１６からの作動指令に従って警報を出力する。
【００４９】
一方、照合ＥＣＵ１６は、車両ドアの開状態から閉状態への切り替わりに伴う室外用送信アンテナ２２からのリクエスト信号の送信後、チューナ２４にて受信したレスポンス信号からの抽出情報としてリクエスト信号の受信不可情報が含まれると判定した場合、及び、そのリクエスト信号の送信から所定時間が経過しても、チューナ２４にて電子キー１４からのレスポンス信号を受信しない場合は、対応する電子キー１４が自車両の車室外に存在しないとして、ブザー４４を用いた警報を出力させない（ステップ１４８）。この場合は、ブザー４４から警報出力はなされない。
【００５０】
このように、本実施例においては、車両使用中において車両ドアが開状態から閉状態へ切り替わった際にメモリ２８に受信不可情報が記憶されているときは、その直後、車載機１２の室外用送信アンテナ２０からリクエスト信号を送信させて車室外（具体的には、車両ドア近傍）に検知エリアを形成することで電子キー１４の応答を要求することができる。そして、受信可情報を含むレスポンス信号が電子キー１４から送信されて車載機１２に受信された場合は、対応の電子キー１４が自車両の車室外に存在して車室内から車室外へ持ち出されたとして、ブザー４４から警報を出力することができ、一方、受信可情報を含むレスポンス信号が電子キー１４から送信されず車載機１２に受信されない場合は、対応の電子キー１４が自車両の車室外に存在せず車室内から車室外へ持ち出されていないとして、ブザー４４から警報を出力させないことができる。
【００５１】
車載機１２の照合ＥＣＵ１２は、上記ステップ１３２、１３４、及び１４８においてブザー４４から警報を出力する或いは出力しない処理を実行すると、次に、電子キー１４との間の無線通信を終了する条件が成立するか否かの判別を行う（ステップ１５０）。そして、電子キー１４との間の無線通信を終了する条件が成立しないと判別した場合は、以後も通常どおり、車両使用中において室内用送信アンテナ２０からのリクエスト信号の送信を継続させる。一方、電子キー１４との間の無線通信を終了する条件が成立すると判別した場合は、車両使用中における室内用送信アンテナ２０からのリクエスト信号の送信を停止させる。
【００５２】
従って、本実施例の警報システム１０によれば、エンジン稼動中などの車両使用中は、車載機１２から車室内へＬＦ帯のリクエスト信号を送信することで、電子キー１４が車室内に存在するか否かを確認することができる。また、この確認を行ううえで、電子キー１４に、受信されるＬＦ帯の信号が車載機１２からのリクエスト信号として認識されるか否かを判別させて、車載機１２からのリクエスト信号が受信可能であるかを示す受信可情報又は受信不可情報を含むＲＦ帯のレスポンス信号を送信させると共に、車載機１２に、電子キー１４からの受信可情報又は受信不可情報をメモリ２８に書き込むことができる。
【００５３】
この点、例えば、車載機１２の室内用送信アンテナ２０から電子キー１４に向けてＬＦ帯のリクエスト信号が送信されたときに、そのリクエスト信号がエンジンの点火ノイズ等に起因して妨害されても、電子キー１４から車載機１２へ電子キー１４がリクエスト信号を受信できない状態にあることを受信不可情報として車載機１２側に知らせてそのメモリ２８に記憶させることができる。
【００５４】
また、本実施例の警報システム１０によれば、車両使用中において車両ドアが開状態から閉状態へ切り替わった際にメモリ２８から情報を読み出して、その情報が受信可情報であるか或いは受信不可情報であるかを判定させることができる。
【００５５】
そして、メモリ２８に受信可情報が記憶されていると判定したときは、車載機１２から車室内へＬＦ帯のリクエスト信号を送信して電子キー１４が車室内に存在するか否かを確認することができる。受信可情報がメモリ２８に記憶されていれば、電子キー１４が車載機１２からのリクエスト信号を認識可能な状態にあって車室内に存在している筈である。この場合は、車両ドアの開状態から閉状態への切り替え直後において、車載機１２の室内用送信アンテナ２０を用いて車室内に検知エリアを形成して電子キー１４の応答を要求すれば、電子キー１４は応答することが可能であるので、電子キー１４が車室内から車室外へ持ち出されたか否かを判定することが可能となる。
【００５６】
一方、メモリ２８に受信不可情報が記憶されていると判定したときは、車載機１２から車室外へＬＦ帯のリクエスト信号を送信して電子キー１４が車室外に存在するか否かを確認することができる。受信不可情報がメモリ２８に記憶されていれば、電子キー１４が車室内に存在していても車載機１２からのリクエスト信号を認識できる状態にないと判断できる。この場合は、車載機１２の室内用送信アンテナ２０を用いて車室内に検知エリアを形成して電子キー１４の応答を要求しても、電子キー１４は応答することができない一方、車両ドアの開状態から閉状態への切り替え直後において、車載機１２の室外用送信アンテナ２２を用いて車室外に検知エリアを形成して電子キー１４の応答を要求すれば、電子キー１４は応答することが可能であるので、電子キー１４が車室内から車室外へ持ち出されたか否かを判定することが可能となる。
【００５７】
このため、本実施例の警報システム１０によれば、電子キー１４が車室内に存在するにもかかわらず、例えばエンジン稼動による点火ノイズ等に起因して車載機１２の室内用送信アンテナ２０から送信されるリクエスト信号が妨害されることで、そのリクエスト信号を電子キー１４が認識できないときに、直ちに電子キー１４が車室内から車室外へ持ち出されたと車載機１２が誤判定するのを回避することができる。そして、車両ドアが開状態から閉状態へ切り替わった際に車載機１２が室外用送信アンテナ２２を用いたリクエスト信号の送信によって車室外に検知エリアを形成することにより、実際に電子キー１４が車室外へ持ち出されていたときはその持ち出しを検知することができる。
【００５８】
従って、本実施例によれば、車両使用中において、エンジン稼動による点火ノイズ等に起因して電子キー１４が車両の外部へ持ち出されたと誤判定されるのを防止しつつ、電子キー１４が車両の外部へ持ち出されたときにその持ち出しを確実に検知することができるので、これにより、ブザー４４を用いた警報を適切に行うことが可能である。
【００５９】
また、上記の如く電子キー１４が車両の外部へ持ち出されたと誤判定されるのが防止されれば、車両におけるノイズ発生源の近傍に別途、ＬＦ帯のリクエスト信号を送信する送信アンテナを追加して配置することは不要である。従って、本実施例によれば、車両にノイズ対策用の送信アンテナを追加することなく、上記した点火ノイズ等に起因した電子キー１４の車両外部への持ち出し誤判定を防止することができるので、その誤判定防止のためにコストアップが招来するのを回避することができる。
【００６０】
尚、上記の実施例においては、ＬＦ帯が特許請求の範囲に記載した「第１帯域」に、ＲＦ帯が特許請求の範囲に記載した「第２帯域」に、チューナ２４が特許請求の範囲に記載した「車両用受信アンテナ」に、照合ＥＣＵ１６が特許請求の範囲に記載した「持出判定部」及び「読出部」に、ブザー４４が特許請求の範囲に記載した「警報部」に、携帯ＥＣＵ３０が特許請求の範囲に記載した「受信可否判定部」に、メモリ２８が特許請求の範囲に記載した「記憶部」に、それぞれ相当している。
【００６１】
また、上記の実施例においては、ステップ１００が特許請求の範囲に記載した「第１のステップ」に、ステップ１０４が特許請求の範囲に記載した「第２のステップ」に、ステップ１０６，１０８が特許請求の範囲に記載した「第３のステップ」に、ステップ１１０，１１２が特許請求の範囲に記載した「第４のステップ」に、ステップ１４０が特許請求の範囲に記載した「第５のステップ」に、ステップ１４６が特許請求の範囲に記載した「第６のステップ」に、ステップ１３４が特許請求の範囲に記載した「第７のステップ」に、それぞれ相当している。
【００６２】
ところで、上記の実施例においては、車載機１２の有する警報機として人の聴覚を刺激するブザー４４を用いた。しかし、本発明はこれに限定されるものではなく、ブザー４４に代えて或いはブザー４４と共に、警報機として人の視覚を刺激する表示装置（例えば、ハザードランプなど）を用いることとしてもよい。
【００６３】
また、上記の実施例においては、車載機１２の送信するリクエスト信号がＬＦ帯の信号でありかつ電子キー１４の送信するレスポンス信号がＲＦ帯の信号である。しかし、本発明はこれに限定されるものではなく、上記のリクエスト信号やレスポンス信号が他の帯域の信号であるものに適用することも可能である。
【符号の説明】
【００６４】
１０  電子キー持ち出し警報システム
１２  車載機
１４  電子キー
１６  照合ＥＣＵ
２０  室内用送信アンテナ
２２  室外用送信アンテナ
２４  チューナ
２８  メモリ
３０  携帯ＥＣＵ
３２  携帯用受信アンテナ
３４  携帯用送信アンテナ
４０  エンジンスイッチ
４２  カーテシスイッチ
４４  ブザー
【図１】
2015168387.tif 000003
【図２】
2015168387.tif 000004